(57)【特許請求の範囲】
【請求項１】
空気処理モジュールであって、浄化ダクト吹出フレームと、水タンク引き出しと、安全係止具とを含み、
前記浄化ダクト吹出フレームには通風孔及び係合孔が設けられ、
前記水タンク引き出しは、前記浄化ダクト吹出フレームに引き出し可能に設けられており、底壁には間隔をあけている２つの係合凸起部が設けられており、
前記安全係止具は、回転軸及び係止具を含み、
前記回転軸が係止位置と回避位置との間に回転可能に前記係合孔内に設けられており、
前記係止具が前記回転軸の頂部に設けられ、前記係止位置において前記係止具が前記係合凸起部の前側に配置されて前記係合凸起部を受け止めて前記係合凸起部の変位を防止し、前記回避位置において前記係止具が２つの前記係合凸起部の間に配置され、
前記浄化ダクト吹出フレームには係合溝が設けられており、前記係合孔が前記係合溝の底壁に設けられており、前記回転軸が前記係合溝内に設けられており且つ前記係合孔に回転係合され、
前記安全係止具は、前記係合溝内に回転可能に配置された係合カバーを含み、前記係合カバーの外周壁には第１の円弧面が設けられており、前記係合溝の内周壁には前記第１の円弧面に係合された第２の円弧面が設けられており、前記回転軸が前記係合カバーに設けられており、前記係止具が前記係合カバーの頂壁に設けられていることを特徴とする空気処理モジュール。
【請求項２】
前記係合カバーの外周壁には、互いに交差する２つの平面が設けられており、前記第１の円弧面の両端が前記２つの平面にそれぞれ接続されることを特徴とする請求項１に記載の空気処理モジュール。
【請求項３】
前記安全係止具は、前記２つの平面の交差する箇所に設けられたハンドル用凸起ブロックをさらに含むことを特徴とする請求項２に記載の空気処理モジュール。
【請求項４】
中空の支持柱をさらに含み、前記支持柱が前記係合孔を取り囲むように設けられ、前記係合カバーが前記支持柱を被覆するように前記支持柱により支持され、前記回転軸が前記支持柱を通して前記係合孔に係合されることを特徴とする請求項１に記載の空気処理モジュール。
【請求項５】
前記係合溝の内周壁には間隔をあけている複数の位置決め凹溝が設けられており、前記係合カバーの外周壁には複数の弾性凸起部が設けられており、前記回避位置及び前記係止位置において、少なくとも１つの前記弾性凸起部は１つの前記位置決め凹溝に係合されることを特徴とする請求項１に記載の空気処理モジュール。
【請求項６】
前記係合カバーの外周壁には、前記係合カバーの底壁まで延伸する切欠部が設けられており、前記各弾性凸起部の両側には、それぞれ前記切欠部が設けられていることを特徴とする請求項５に記載の空気処理モジュール。
【請求項７】
前記浄化ダクト吹出フレームには、前記係合孔に連通する取外口が設けられ、前記回転軸の下端には受止凸起ブロックが設けられ、前記係止位置及び前記回避位置において、前記受止凸起ブロック及び前記取外口は互いに位置がずれるように設けられ、前記回転軸が前記受止凸起ブロックまで回転して前記取外口に向き合うと、前記回転軸と前記浄化ダクト吹出フレームは分離することができることを特徴とする請求項１〜６のいずれか一項に記載の空気処理モジュール。
【請求項８】
請求項１〜７のいずれか一項に記載の空気処理モジュールを含むことを特徴とするエアコン室内機。
【発明の詳細な説明】
【技術分野】
【０００１】
本発明は、家電機器の技術分野に関し、具体的には、空気処理モジュール及びそれを備えるエアコン室内機に関する。
【背景技術】
【０００２】
わが国は経済が発展し、都市人口が急速に増加し都市化のプロセスが加速するのに伴って出現するスモッグ等空気汚染の問題に対し、人々は大きな関心を寄せており、使用者はエアコンにより高い空気処理機能を求めている。
【０００３】
エアコン室内機による浄化は、多重フィルターや固体吸着剤の設置、電気除塵等方式により、フィルターを利用して遮断・濾過し、電気吸着、固体吸着剤が汚染された空気中の液体又は固体の顆粒を吸着するように作業する。このような除塵方式において、ダスト粒子はフィルター、集塵極又は吸着剤に引き止められると、エアコン室内機内に進入する空気を一部遮断するため、空気の流入量が低減し、エアコン室内機の作業効率を低下させる。そして、フィルター、吸着剤を常に洗浄又は交換する必要があり、一部のダスト粒子及び有害な細菌がフィルター、冷凍機、格子及びダンパー内に付着すると、洗浄が困難になるだけでなく、空気の二次汚染を引き起こしやすい。
【発明の概要】
【発明が解決しようとする課題】
【０００４】
本発明は、少なくとも従来技術に存在する技術的問題の一つを解決することを目的としている。そのため、本発明は空気処理モジュールを提供し、当該空気処理モジュールは安全性能に優れるという利点を有する。
【０００５】
さらに、本発明はエアコン室内機を提供し、当該エアコン室内機は上記の空気処理モジュールを備える。
【課題を解決するための手段】
【０００６】
本発明の実施例に係る空気処理モジュールは、浄化ダクト吹出フレームと、水タンク引き出しと、安全係止具とを含み、前記浄化ダクト吹出フレームには通風孔及び係合孔が設けられ、前記水タンク引き出しは、前記浄化ダクト吹出フレームに引き出し可能に設けられ、底壁に間隔をあけている２つの係合凸起部が設けられ、前記安全係止具は回転軸及び係止具を含み、前記回転軸が係止位置と回避位置との間に回転可能に前記係合孔内に設けられ、前記係止具が前記回転軸の頂部に設けられ、前記係止位置において前記係止具が前記係合凸起部の前側に配置されて前記係合凸起部を受け止めてその変位を防止し、前記回避位  置において前記係止具が２つの前記係合凸起部の間に配置される。
【０００７】
本発明の実施例に係る空気処理モジュールは、安全係止具を設けることにより、回転軸を回転させることで係止具と水タンク引き出しにおける２つの係合凸起部との係合関係を変更することができ、これにより水タンク引き出しと浄化ダクト吹出フレームとの係合関係を切り替えることができ、即ち、水タンク引き出しを浄化ダクト吹出フレームから引き出すか、水タンク引き出しを浄化ダクト吹出フレームに限定することにより、子供が不意に水タンク引き出しを引き出すために生じる安全事故を避けることができ、これにより空気処理モジュールの安全性能を向上させることができる。
【０００８】
本発明のいくつかの実施例によれば、前記浄化ダクト吹出フレームには係合溝が設けられ、前記係合孔が前記係合溝の底壁に設けられ、前記回転軸が前記係合溝内に設けられ且つ前記係合孔に回転係合される。
【０００９】
本発明のいくつかの実施例によれば、前記安全係止具は、前記係合溝内に回転可能に配置された係合カバーを含み、前記係合カバーの外周壁には第１の円弧面が設けられ、前記係合溝の内周壁には前記第１の円弧面に係合された第２の円弧面が設けられ、前記回転軸が前記係合カバーに設けられ、前記係止具が前記係合カバーの頂壁に設けられる。
【００１０】
本発明のいくつかの実施例において、前記係合カバーの外周壁には、互いに交差する２つの平面が設けられ、前記第１の円弧面の両端が前記２つの平面にそれぞれ接続される。
【００１１】
本発明のいくつかの実施例において、前記安全係止具は、前記２つの平面の交差する箇所に設けられたハンドル用凸起ブロックをさらに含む。
【００１２】
本発明のいくつかの実施例において、中空の支持柱をさらに含み、前記支持柱が前記係合孔を取り囲むように設けられ、前記係合カバーが前記支持柱を被覆するように前記支持柱により支持され、前記回転軸が前記支持柱を通して前記係合孔に係合される。
【００１３】
本発明のいくつかの実施例において、前記係合溝の内周壁には間隔をあけて複数の位置決め凹溝が設けられ、前記係合カバーの外周壁には複数の弾性凸起部が設けられ、前記回避位置及び前記係止位置において、少なくとも１つの前記弾性凸起部は１つの前記位置決め凹溝に係合される。
【００１４】
本発明のいくつかの実施例において、前記係合カバーの外周壁には、前記係合カバーの底壁まで延伸する切欠部が設けられ、前記各弾性凸起部の両側には、それぞれ前記切欠部が設けられる。
【００１５】
本発明のいくつかの実施例によれば、前記浄化ダクト吹出フレームには、前記係合孔に連通する取外口が設けられ、前記回転軸の下端に受止凸起ブロックが設けられ、前記係止位置及び前記回避位置において前記受止凸起ブロック及び前記取外口は互いに位置がずれるように設けられ、前記回転軸が前記受止凸起ブロックまで回転して前記取外口に向き合うと、前記回転軸と前記浄化ダクト吹出フレームは分離することができる。
【００１６】
本発明の実施例に係るエアコン室内機は、上記の空気処理モジュールを含む。
【発明の効果】
【００１７】
本発明の実施例に係るエアコン室内機は、安全係止具を設けることにより、回転軸を回転させることで係止具と水タンク引き出しにおける２つの係合凸起部との係合関係を変更することができ、これによって水タンク引き出しと浄化ダクト吹出フレームとの係合関係を切り替えることができ、即ち、水タンク引き出しを浄化ダクト吹出フレームから引き出すか、水タンク引き出しを浄化ダクト吹出フレームに限定することにより、子供が不意に水タンク引き出しを引き出すために生じる安全事故を避けることができ、これによって空気処理モジュールの安全性能を向上させることができる。
【００１８】
本発明の付加的な構成及び利点は、以下説明される部分において示される。それは、下記説明によって明らかになるか、本発明を実施することで理解される。
【００１９】
本発明の上記及び／又は付加的な構成と利点は、以下の図面を用いて実施例を説明する過程で明らかになり、理解しやすいものになる。
【図面の簡単な説明】
【００２０】
【図１】図１は、本発明の実施例に係る空気処理モジュールの構造概念図である。
【図２】図２は、本発明の実施例に係る空気処理モジュールの一部の構造概念図である。
【図３】図３は、図２におけるＡ箇所の構造の拡大図である。
【図４】図４は、本発明の実施例に係る空気処理モジュールの一部の構造概念図である。
【図５】図５は、図４におけるＢ箇所の構造の拡大図である。
【図６】図６は、本発明の実施例に係る空気処理モジュールの一部の構造概念図である。
【図７】図７は、本発明の実施例に係る空気処理モジュールの一部の構造概念図である。
【図８】図８は、図７におけるＣ箇所の構造の拡大図である。
【図９】図９は、図７におけるＤ箇所の構造の拡大図である。
【図１０】図１０は、本発明の実施例に係る空気処理モジュールの一部の構造概念図である。
【図１１】図１１は、本発明の実施例に係る空気処理モジュールの一部の構造概念図である。
【図１２】図１２は、本発明の実施例に係る空気処理モジュールの一部の構造概念図である。
【図１３】図１３は、図１２におけるＡ−Ａ箇所の断面の構造概念図である。
【図１４】図１４は、図１３におけるＥ箇所の構造の拡大図である。
【発明を実施するための形態】
【００２１】
以下、本発明の実施例を詳細に説明し、当該実施例の例は図面において示される。なお、一貫して同一又は類似する符号で、同一もしくは類似する素子又は同一もしくは類似の機能を有する素子を表す。以下、図面を参照して説明される実施例は例示的なもので、本発明を解釈するためのものに過ぎず、本発明を制限するためのものとして理解されるべきではない。
【００２２】
本発明の説明において、理解すべきこととして、「中心」、「縦方向」、「横方向」、「長さ」、「幅」、「厚さ」、「上」、「下」、「前」、「後」、「左」、「右」、「頂」、「底」、「内」、「外」、「軸方向」、「半径方向」、「周方向」等用語で指示される方位又は位置関係は、図面に示される方位又は位置関係に準じるものであり、本発明の説明の便宜上及び説明の簡素化のためのものに過ぎず、対象となる装置又は素子は必ず特定の方位を有し、特定の方位で構成・操作されなければならないことを指示するかそれを示唆するものではなく、従って本発明に対する制限として理解されるべきではない。また、「第１」、「第２」で限定される特徴は１つの又は複数の当該特徴を明確に又は暗黙的に含むことができる。本発明の説明において、特段の説明がない限り、「複数」は２つ以上を意味する。
【００２３】
本発明の説明において、明確な規定及び限定がない限り、「取り付け」、「接続」、「連結」という用語は広い意味で理解されるべきである。例えば、固定して接続されることであってもよければ、取り外し可能な接続又は一体的な接続であってもよい。機械的な接続であってもよければ、電気的接続であってもよい。直接の接続であってもよければ、中間の媒介を介する間接的な接続であってもよく、また、２つの素子が内部に連通することとすることもできる。当業者であれば、具体的な状況によって上記用語の本発明における具体的な意味を理解することができる。
【００２４】
図１〜図１４に示すように、本発明の実施例に係る空気処理モジュール１は、浄化ダクト吹出フレーム１０と、水タンク引き出し２０と、安全係止具３０とを含む。
【００２５】
具体的に、図１〜図１４に示すように、浄化ダクト吹出フレーム１０に通風孔及び係合孔１００が設けられ、水タンク引き出し２０は浄化ダクト吹出フレーム１０に引き出し可能に設けられる。水タンク引き出し２０の底壁に間隔をあけている２つの係合凸起部２００が設けられ、安全係止具３０は回転軸３００及び係止具３１０を含み、係止具３１０は回転軸３００の頂部に設けられ、回転軸３００は係止位置と回避位置との間に回転可能に係合孔１００内に設けられ、係止位置において係止具３１０は係合凸起部２００の前側に配置されて係合凸起部２００を受け止めてその変位を防止し、回避位置において係止具３１０は２つの係合凸起部２００の間に配置される。
【００２６】
理解できるのは、図１〜図７及び図１２〜図１４に示すように、浄化ダクト吹出フレーム１０に係合孔１００及び通風孔が設けられ、通風孔は気流を通すためのものであり、係合孔１００は安全係止具３０を装着するためのものである。水タンク引き出し２０は浄化ダクト吹出フレーム１０の上面（図１、図２、図４及び図１２〜図１３に示される「上」を参照）に配置することができ、且つ、水タンク引き出し２０は浄化ダクト吹出フレーム１０に対して移動することができ、水タンク引き出し２０を押し引きすることにより水タンク引き出し２０と浄化ダクト吹出フレーム１０との相対的な位置関係を変更することができる。
【００２７】
図１〜図７及び図１１に示すように、安全係止具３０は回転軸３００及び係止具３１０を含んでもよく、係止具３１０は回転軸３００の一端に接続され、回転軸３００の他端は係合孔１００を通すことができ、回転軸３００は係合孔１００内に回転することができる。係止具３１０は係合孔１００の外部に配置され、且つ、浄化ダクト吹出フレーム１０の水タンク引き出し２０に近い片側に配置される、即ち係止具３１０は浄化ダクト吹出フレーム１０の上面の片側に配置される。図９に示すように、水タンク引き出し２０の下面（図７、図１２に示される「下」を参照）に２つの係合凸起部２００が設けられ、２つの係合凸起部２００の間に間隙を有する。
【００２８】
図１、図１０及び図１２に示すように、水タンク引き出し２０が浄化ダクト吹出フレーム１０に配置される場合、即ち水タンク引き出し２０が積層されて浄化ダクト吹出フレーム１０に配置され且つ水タンク引き出し２０の下面（図１、図１０及び図１２に示される「下」を参照）と浄化ダクト吹出フレーム１０の上面（図１、図１０及び図１２に示される「上」を参照）が対向し、安全係止具３０は水タンク引き出し２０の下面（図７、図１２に示される「下」を参照）における２つの係合凸起部２００と係合して、水タンク引き出し２０を浄化ダクト吹出フレーム１０にロックするか、水タンク引き出し２０を浄化ダクト吹出フレーム１０からアンロックすることができる。
【００２９】
なお、ここで「水タンク引き出し２０を浄化ダクト吹出フレーム１０にロックする」というのは、水タンク引き出し２０が浄化ダクト吹出フレーム１０に限定される、即ち水タンク引き出し２０が浄化ダクト吹出フレーム１０に対して静止することを表すものであってもよい。ここで「水タンク引き出し２０を浄化ダクト吹出フレーム１０からアンロックする」というのは、水タンク引き出し２０が浄化ダクト吹出フレーム１０に対して可動であることを表すものであってもよく、水タンク引き出し２０を引くことで水タンク引き出し２０の下面（図１、図１０及び図１２に示される「下」を参照）と浄化ダクト吹出フレーム１０の上面（図１、図１０及び図１２に示される「上」を参照）がずれるようにすることができ、図６〜図７に示すのは水タンク引き出し２０を浄化ダクト吹出フレーム１０から引き出すことを示す図である。
【００３０】
ただし、回転軸３００を係止位置、即ち図４〜図５中の回転軸３００の位置まで回転させる場合、係止具３１０は２つの係合凸起部２００の前側（図９に示される「前」を参照）に配置され、且つ、係止具３１０の２つの係合凸起部２００の配列方向における長さは２つの係合凸起部２００の間の間隙よりも大きく、係止具３１０は２つの係合凸起部２００の間を通すことができない、即ち水タンク引き出し２０を浄化ダクト吹出フレーム１０から引き出すことができないため、水タンク引き出し２０を浄化ダクト吹出フレーム１０に限定することができる。回転軸３００を回避位置、即ち図２〜図３中の回転軸３００の位置まで回転させる場合、係止具３１０は２つの係合凸起部２００の間に配置され、且つ、係止具３１０の２つの係合凸起部２００の配列方向における長さは２つの係合凸起部２００の間の間隙よりも小さく、係止具３１０は２つの係合凸起部２００の間を通すことができる、即ち水タンク引き出し２０を浄化ダクト吹出フレーム１０から引き出すことができ、水タンク引き出し２０は浄化ダクト吹出フレーム１０に対して移動できる。
【００３１】
本発明の実施例に係る空気処理モジュール１は、安全係止具３０を設けることにより、回転軸３００を回転させることで係止具３１０と水タンク引き出し２０における２つの係合凸起部２００との係合関係を変更することができ、これによって水タンク引き出し２０と浄化ダクト吹出フレーム１０との係合関係を切り替えることができる、即ち水タンク引き出し２０を浄化ダクト吹出フレーム１０から引き出すか、水タンク引き出し２０を浄化ダクト吹出フレーム１０に限定することにより、子供が不意に水タンク引き出し２０を引き出すために生じる安全事故を避けることができ、空気処理モジュール１の安全性能を向上させることができる。
【００３２】
図８に示すように、本発明のいくつかの実施例によれば、回転軸３００は中空の部品とすることができ、これによって回転軸３００の重量を低減し、さらに安全係止具３０の生産コストを削減することができ、安全係止具３０の操作及び取付けも容易になる。図９に示すように、本発明のいくつかの実施例によれば、一方の係合凸起部２００は第１のガイド斜面２１１を含み、他方の係合凸起部２００は第２のガイド斜面２１２を含み、第１のガイド斜面２１１と第２のガイド斜面２１２は対向し、水タンク引き出し２０の浄化ダクト吹出フレーム１０に近い方向に、第１のガイド斜面２１１と第２のガイド斜面２１２との間の距離は漸次低減する。これにより、係止具３１０は第１のガイド斜面２１１と第２のガイド斜面２１２との間に回転でき、これによって回転軸３００の位置状態の切り替えが容易になる。
【００３３】
図１１に示すように、本発明のいくつかの実施例によれば、浄化ダクト吹出フレーム１０に係合溝１１０が設けられてもよく、係合孔１００は係合溝１１０の底壁に設けられ、回転軸３００は係合溝１１０内に設けられ、且つ、係合孔１００に回転係合される。理解できることだろうが、浄化ダクト吹出フレーム１０の上面（図１、図１０及び図１２に示される「上」を参照）に係合溝１１０が設けられてもよく、係合孔１００は係合溝１１０内に配置され、且つ、係合孔１００は係合溝１１０の底壁を貫通する。これにより、係合溝１１０は回転軸３００が運動するためのスペースを提供することができ、これによって回転軸３００が回転して回転軸３００の位置状態の切り替えを完了することが容易になる。
【００３４】
本発明のいくつかの実施例において、図１１に示すように、係合溝１１０の頂部が開放され、言い換えれば、係合溝１１０は内周壁及び底壁を含み、内周壁は底壁（図１、図１０及び図１２に示される「上」を参照）に配置され、且つ、内周壁は底壁に接続される。これにより、回転軸３００は係合溝１１０の開放端から係合孔１００を通すことができ、これによって安全係止具３０を係合溝１１０内に装着することができ、さらに安全係止具３０の取り付けが容易になる。本発明のいくつかの実施例において、図１１に示すように、内周壁に開口部１１１１が設けられてもよく、開口部１１１１は内周壁を貫通する。これにより、開口部１１１１によって回転軸３００に対して操作を行うことができる。
【００３５】
図２〜図６及び図１１に示すように、本発明のいくつかの実施例によれば、安全係止具３０は係合カバー３２０を含んでもよく、係合カバー３２０は係合溝１１０内に回転可能に配置され、係合カバー３２０の外周壁に第１の円弧面３２１が設けられ、係合溝１１０の内周壁に、第１の円弧面３２１に係合される第２の円弧面１１４が設けられ、回転軸３００は係合カバー３２０に設けられ、係止具３１０は係合カバー３２０の頂壁に設けられる。
【００３６】
理解できるのは、安全係止具３０は係合カバー３２０をさらに含んでもよく、係合カバー３２０は回転軸３００に接続され、例えば、係合カバー３２０は回転軸３００に外嵌されてもよく、係止具３１０は係合カバー３２０の頂壁に接続され、係合カバー３２０を回転することで回転軸３００を回転させることができ、これによって係止具３１０と２つの係合凸起部２００との相対的な位置を切り替えることができる。
【００３７】
係合カバー３２０は係合溝１１０内に嵌合されてもよく、係合カバー３２０の外周壁は第１の円弧面３２１を含み、これに対応して、係合溝１１０の内周壁は第２の円弧面１１４を含み、第２の円弧面１１４は第１の円弧面３２１に適合し、例えば、第１の円弧面３２１の曲率と第２の円弧面１１４の曲率は同一であり、第１の円弧面３２１の曲率中心と第２の円弧面１１４の曲率中心は重なる。これにより、回転軸３００を回転させる過程において、第１の円弧面３２１は第２の円弧面１１４に沿って回転することができ、これによって係合カバー３２０の回転の円滑性を向上させるとともに、係合溝１１０の体積を低減することができる。
【００３８】
図１１に示すように、本発明のいくつかの実施例において、係合カバー３２０の外周壁に、互いに交差する２つの平面３２２が設けられてもよく、第１の円弧面３２１の両端は２つの平面３２２にそれぞれ接続される。理解できることだろうが、係合カバー３２０の外周壁は第１の円弧面３２１及び２つの平面３２２を含んでもよく、第１の円弧面３２１と２つの平面３２２は首尾が接続して扇形を形成する。これにより、係合カバー３２０の体積を低減することができ、また、使用者は２つの平面３２２が接続された位置での曲がり角と係合溝１１０の相対的な位置関係によって回転軸３００の位置状態を判断することができる。
【００３９】
本発明のいくつかの実施例において、図６、図８及び図１１に示すように、安全係止具３０はハンドル用凸起ブロック３３０をさらに含み、ハンドル用凸起ブロック３３０は２つの平面３２２の交差する箇所に設けられる。これにより、使用者はハンドル用凸起ブロック３３０を回転することで係合カバー３２０を回転させて、回転軸３００の位置状態を切り替えることができる。例えば、図６、図８及び図１１に示すように、ハンドル用凸起ブロック３３０は長尺状の部品とすることができ、ハンドル用凸起ブロック３３０の一端は係合カバー３２０における２つの平面３２２の交差する箇所に接続され、ハンドル用凸起ブロック３３０の他端は使用者が操作しやすいように、係合カバー３２０から遠ざかり且つ係合溝１１０の開口部１１１１に係合溝１１０から延出する。ハンドル用凸起ブロック３３０を長尺状の部品として設けることにより、使用者が把持しやすくなる。
【００４０】
図１１に示すように、本発明のいくつかの実施例において、係合カバー３２０の頂壁に複数の溝体３２５が設けられてもよく、複数の溝体３２５は係止具３１０を取り囲むように設けられてもよく、溝体３２５は係合カバー３２０の内部に対して陥没するように設けられてもよい。これにより、溝体３２５を利用して、金型による係合溝１１０の成形を容易に実現できる。例えば、係合カバー３２０の頂壁に２つの溝体３２５が設けられてもよく、２つの溝体３２５は係止具３１０の両側に配置される。これにより、２本の指を２つの溝体３２５内に差し込んで係合カバー３２０を把持することにより、係合カバー３２０に対する操作、例えば、その装着及び取り外し等が行いやすくなる。
【００４１】
図１１に示すように、本発明のいくつかの実施例において、空気処理モジュール１は中空の支持柱１２０をさらに含んでもよく、支持柱１２０は係合孔１００を取り囲むように設けられ、係合カバー３２０は支持柱１２０を被覆するように支持柱１２０によって支持され、回転軸３００は支持柱１２０を通して係合孔１００に係合される。理解できることだろうが、支持柱１２０は円筒状として形成すされてもよく、支持柱１２０は係合孔１００の周方向に沿って延伸してもよく、係合孔１００は支持柱１２０の内筒内に配置され、係合カバー３２０は支持柱１２０を被覆するように設けられてもよく、支持柱１２０は係合カバー３２０を支持するようにしてもよく、回転軸３００は支持柱１２０を通すように設けられる。
【００４２】
これにより、支持柱１２０を、係合カバー３２０を支持するために用いることにより、係合カバー３２０を取り付ける際の安定性を向上させ、係合カバー３２０が回転する過程で係合溝１１０の底壁にひっかき傷を残すことを避けるだけでなく、係合カバー３２０の回転の円滑性を向上させることもでき、また支持柱１２０は回転軸３００の回転を限定し、回転軸３００の回転の安定性を向上させ、回転軸３００が回転する過程で左右に揺動する状況を避けることができる。
【００４３】
図１１に示すように、本発明のいくつかの実施例において、係合溝１１０の内周壁に間隔をあけて複数の位置決め凹溝１１３が設けられてもよく、係合カバー３２０の外周壁に複数の弾性凸起部３２３が設けられ、回避位置及び係止位置において、少なくとも１つの弾性凸起部３２３は１つの位置決め凹溝１１３に係合される。これにより、安全係止具３０の操作しやすさを向上させることができ、安全係止具３０の回転軸３００が係止位置及び回避位置のいずれかの位置状態に配置される場合、いずれも弾性凸起部３２３と位置決め凹溝１１３の係合関係によって、操作者に応答動作をフィードバックして回転を停止するよう操作者に知らせることができ、これによって安全係止具３０の操作体験を向上させることができる。
【００４４】
回転軸３００が回避位置に配置される場合、少なくとも１つの弾性凸起部３２３は位置決め凹溝１１３内に係合することができ、係合カバー３２０を回転させることで回転軸３００が回避位置から係止位置へ切り替わる過程において、当該弾性凸起部３２３はそれに対応する位置決め凹溝１１３内から抜け出すことができる。引き続き係合カバー３２０を回転させて回転軸３００を係止位置に切り替える過程において、少なくとも１つの弾性凸起部３２３は複数の位置決め凹溝１１３のいずれか１つに係入することができ、弾性凸起部３２３は当該位置決め凹溝１１３に係合される。弾性凸起部３２３が位置決め凹溝１１３に係入すると、位置決め凹溝１１３から脱出させることが困難な場合、操作者がより大きな力を加えて回転させる必要があり、これによって回転軸３００の位置情報、及び回転軸３００が係止位置又は回避位置に位置することを使用者にフィードバックすることができる。
【００４５】
本発明のいくつかの実施例において、図１１に示すように、位置決め凹溝１１３と係合溝１１０の接続された箇所は円滑な曲面とすることができる。これにより、弾性凸起部３２３が位置決め凹溝１１３内に係入しやすくなり、弾性凸起部３２３が位置決め凹溝１１３から脱出しやすくもなる。本発明のいくつかの実施例において、係合カバー３２０の外周壁に係合カバー３２０の底壁まで延伸する切欠部３２４が設けられ、各弾性凸起部３２３の両側にいずれも切欠部３２４が設けられる。理解できることだろうが、係合カバー３２０の外周壁に複数の切欠部３２４が設けられ、各弾性凸起部３２３は２つの切欠部３２４に対応し、２つの切欠部３２４は弾性凸起部３２３の両側に配置され、いずれの切欠部３２４も、係合カバー３２０の頂壁に向かって延伸する。これにより、弾性凸起部３２３が位置決め凹溝１１３内に係合されやすくなり、弾性凸起部３２３が位置決め凹溝１１３内から脱出しやすくもなる。説明すべきこととして、ここで「係合カバー３２０の底壁」というのは、係合カバー３２０の底面、即ち係合カバー３２０の頂壁の内部の表面を指すものであってもよい。
【００４６】
図８及び図１０に示すように、本発明のいくつかの実施例によれば、浄化ダクト吹出フレーム１０に係合孔１００に連通する取外口１３０が設けられ、回転軸３００の下端に受止凸起ブロック３０１が設けられ、係止位置及び回避位置において受止凸起ブロック３０１及び取外口１３０は互いに位置がずれるように設けられ、回転軸３００が受止凸起ブロック３０１まで回転して取外口１３０に向き合うと、回転軸３００と浄化ダクト吹出フレーム１０は分離することができる。理解できることだろうが、浄化ダクト吹出フレーム１０に取外口１３０が設けられ、取外口１３０は浄化ダクト吹出フレーム１０を貫通し、取外口１３０は係合孔１００に連通し、回転軸３００の係止具３１０から遠ざかる一端に受止凸起ブロック３０１が設けられる。
【００４７】
回転軸３００を浄化ダクト吹出フレーム１０に切り替える過程において、受止凸起ブロック３０１を取外口１３０に合わせる必要があり、回転軸３００が係合孔１００を通す過程において、受止凸起ブロック３０１は取外口１３０を通し、且つ、回転軸３００を回転させることにより受止凸起ブロック３０１と取外口１３０がずれるようにすることができ、受止凸起ブロック３０１は浄化ダクト吹出フレーム１０の下面（図７に示される「下」を参照）によって受け止とめられ、図７〜図８に示すように、これによって回転軸３００を浄化ダクト吹出フレーム１０に限定することができる。回転軸３００が係止位置及び回避位置の間に切り替わる時、受止凸起ブロック３０１と取外口１３０は一貫してずれている。
【００４８】
本発明のいくつかの実施例において、図８及び図１０に示すように、取外口１３０は複数有してもよく、複数の取外口１３０は係合孔１００の周方向に沿って間隔をあけて配列されてもよく、回転軸３００の下端に複数の受止凸起ブロック３０１が設けられてもよく、複数の受止凸起ブロック３０１と複数の係合孔１００は一対一で対応する。これにより、複数の係合孔１００は複数の受止凸起ブロック３０１を位置決めすることができる。例えば、取外口１３０は２つ有してもよく、２つの取外口１３０は係合孔１００の半径方向の両端に配置される。
【００４９】
本発明の実施例に係るエアコン室内機は、上記空気処理モジュール１を含む。
【００５０】
本発明の実施例に係るエアコン室内機は、安全係止具３０を設けることにより、回転軸３００を回転させることで係止具３１０と水タンク引き出し２０における２つの係合凸起部２００との係合関係を変更することができ、これよって水タンク引き出し２０と浄化ダクト吹出フレーム１０との係合関係を切り替えることができる、即ち水タンク引き出し２０を浄化ダクト吹出フレーム１０から引き出すか、水タンク引き出し２０を浄化ダクト吹出フレーム１０に限定することにより、子供が不意に水タンク引き出し２０を引き出すために生じる安全事故を避けることができ、これによって空気処理モジュール１の安全性能を向上させることができる。
【００５１】
以下、図１〜図１４を参照して本発明に係る空気処理モジュール１１を詳細に説明する。理解できることだろうが、下記説明は例示的なものに過ぎず、本発明を具体的に制限するためのものではない。
【００５２】
図１〜図１４に示すように、空気処理モジュール１は、浄化ダクト吹出フレーム１０と、水タンク引き出し２０と、安全係止具３０とを含む。浄化ダクト吹出フレーム１０に係合孔１００、係合溝１１０、支持柱１２０及び通風孔が設けられ、通風孔は気流を通すためのものであり、係合溝１１０、支持柱１２０及び係合孔１００は安全係止具３０を装着するためのものである。係合溝１１０は内周壁及び底壁を含み、内周壁は底壁（図１、図１０及び図１２に示される「上」を参照）に配置され、且つ、内周壁は底壁に接続される。内周壁に開口部１１１１が設けられ、開口部１１１１は外周壁と内周壁を貫通する。係合孔１００は係合溝１１０の底壁に設けられる。支持柱１２０は係合溝１１０内に配置され、支持柱１２０は係合孔１００を取り囲むように設けられる。
【００５３】
図１、図１２及び図１３に示すように、水タンク引き出し２０は浄化ダクト吹出フレーム１０の上面（図１、図２、図４及び図１２〜図１３に示される「上」を参照）に配置することができ、且つ、水タンク引き出し２０は浄化ダクト吹出フレーム１０に対して移動することができ、水タンク引き出し２０を押し引きすることにより水タンク引き出し２０と浄化ダクト吹出フレーム１０との相対的な位置関係を変更することができる。
【００５４】
図１１に示すように、安全係止具３０は回転軸３００、係止具３１０及び係合カバー３２０を含み、係合カバー３２０は係合溝１１０内に回転可能に配置され、係合カバー３２０は支持柱１２０を被覆するように支持柱１２０によって支持され、回転軸３００は支持柱１２０を通して係合孔１００に係合される。係合カバー３２０の外周壁は第１の円弧面３２１及び２つの平面３２２を含んでもよく、第１の円弧面３２１と２つの平面３２２は首尾が接続して扇形を形成する。係合溝１１０の内周壁に、第１の円弧面３２１に係合される第２の円弧面１１４が設けられ、回転軸３００は係合カバー３２０に設けられ、係止具３１０は係合カバー３２０の頂壁に設けられる。係合カバー３２０の頂壁に２つの溝体３２５が設けられてもよく、２つの溝体３２５は係止具３１０の両側に配置される。２つの平面３２２の交差する箇所にハンドル用凸起ブロック３３０が設けられてもよく、ハンドル用凸起ブロック３３０は長尺状の部品とすることができ、ハンドル用凸起ブロック３３０の一端は係合カバー３２０の外周壁に接続され、ハンドル用凸起ブロック３３０の他端は係合溝１１０の開口部１１１１に係合溝１１０から延出する。回転軸３００は中空の部品とすることができ、回転軸３００は支持柱１２０及び係合孔１００を通すことができ、回転軸３００は係合孔１００内に回転することができる。水タンク引き出し２０の下面（図７、図１２に示される「下」を参照）に２つの係合凸起部２００が設けられ、２つの係合凸起部２００の間に間隙を有する。
【００５５】
図１、図１０及び図１２に示すように、水タンク引き出し２０が浄化ダクト吹出フレーム１０に配置される場合、即ち水タンク引き出し２０が積層されて浄化ダクト吹出フレーム１０に配置され且つ水タンク引き出し２０の下面（図１、図１０及び図１２に示される「下」を参照）と浄化ダクト吹出フレーム１０の上面（図１、図１０及び図１２に示される「上」を参照）が対向し、安全係止具３０は水タンク引き出し２０の下面（図７、図１２に示される「下」を参照）における２つの係合凸起部２００と係合して、水タンク引き出し２０を浄化ダクト吹出フレーム１０にロックするか、水タンク引き出し２０を浄化ダクト吹出フレーム１０からアンロックすることができる。
【００５６】
なお、ここで「水タンク引き出し２０を浄化ダクト吹出フレーム１０にロックする」というのは、水タンク引き出し２０が浄化ダクト吹出フレーム１０に限定される、即ち水タンク引き出し２０が浄化ダクト吹出フレーム１０に対して静止することを表すものであってもよい。ここで「水タンク引き出し２０を浄化ダクト吹出フレーム１０からアンロックする」というのは、水タンク引き出し２０が浄化ダクト吹出フレーム１０に対して可動であることを表すものであってもよく、水タンク引き出し２０を引くことで水タンク引き出し２０の下面（図１、図１０及び図１２に示される「下」を参照）と浄化ダクト吹出フレーム１０の上面（図１、図１０及び図１２に示される「上」を参照）がずれるようにすることができ、図６〜図７に示すのは水タンク引き出し２０を浄化ダクト吹出フレーム１０から引き出すことを示す図である。
【００５７】
ただし、回転軸３００を係止位置、即ち図４〜図５中の回転軸３００の位置まで回転させる場合、係止具３１０は２つの係合凸起部２００の前側（図９に示される「前」を参照）に配置され、且つ、係止具３１０の２つの係合凸起部２００の配列方向における長さは２つの係合凸起部２００の間の間隙よりも大きく、係止具３１０は２つの係合凸起部２００の間を通すことができない、即ち水タンク引き出し２０を浄化ダクト吹出フレーム１０から引き出すことができないため、水タンク引き出し２０を浄化ダクト吹出フレーム１０に限定することができる。回転軸３００を回避位置、即ち図２〜図３中の回転軸３００の位置まで回転させる場合、係止具３１０は２つの係合凸起部２００の間に配置され、且つ、係止具３１０の２つの係合凸起部２００の配列方向における長さは２つの係合凸起部２００の間の間隙よりも小さく、係止具３１０は２つの係合凸起部２００の間を通すことができる、即ち水タンク引き出し２０を浄化ダクト吹出フレーム１０から引き出すことができ、水タンク引き出し２０は浄化ダクト吹出フレーム１０に対して移動できる。
【００５８】
係合溝１１０の内周壁に間隔をあけて複数の位置決め凹溝１１３が設けられてもよく、係合カバー３２０の外周壁に複数の弾性凸起部３２３が設けられ、回避位置及び係止位置において、少なくとも１つの弾性凸起部３２３は１つの位置決め凹溝１１３に係合される。係合カバー３２０の外周壁に係合カバー３２０の底壁まで延伸する切欠部３２４が設けられ、各弾性凸起部３２３の両側にいずれも切欠部３２４が設けられる。浄化ダクト吹出フレーム１０に、係合孔１００に連通する取外口１３０が設けられ、回転軸３００の下端に受止凸起ブロック３０１が設けられ、係止位置及び回避位置において受止凸起ブロック３０１及び取外口１３０は互いに位置がずれるように設けられ、回転軸３００が受止凸起ブロック３０１まで回転して取外口１３０に向き合うと、回転軸３００と浄化ダクト吹出フレーム１０は分離することができる。取外口１３０は２つ有してもよく、２つの取外口１３０は係合孔１００の半径方向の両端に配置される。
【００５９】
本発明の実施例に係るエアコン室内機は、安全係止具３０を設けることにより、回転軸３００を回転させることで係止具３１０と水タンク引き出し２０における２つの係合凸起部２００との係合関係を変更することができ、これによって水タンク引き出し２０と浄化ダクト吹出フレーム１０との係合関係を切り替えることができる、即ち水タンク引き出し２０を浄化ダクト吹出フレーム１０から引き出すか、水タンク引き出し２０を浄化ダクト吹出フレーム１０に限定することにより、子供が不意に水タンク引き出し２０を引き出すために生じる安全事故を避けることができ、これによって空気処理モジュール１の安全性能を向上させることができる。
【００６０】
本明細書の説明において、「１つの実施例」、「いくつかの実施例」、「例示的な実施例」、「例」、「具体例」、又は「いくつかの実施例」等の用語を用いる説明は、当該実施例又は例を用いて説明される具体的な特徴、構造、材料又は利点は本発明の少なくとも１つの実施例又は例に含まれること意図するものである。本明細書において、上記用語に関する例示的な表現は、必ずしも同一の実施例又は例を指すものとは限らない。また、説明される具体的な特徴、構造、材料又は利点はいずれか１つ又は複数の実施例もしくは例で、適切な方式で組み合わせることができる。
【００６１】
本発明の実施例を示す上に説明しているが、当業者であれば理解できるように、本発明の原理及び趣旨を逸脱しないことを前提として、なおもこれらの実施例に対して様々な変更、修正、置換及び変形を行うことができ、本発明の範囲は請求項及びそれと均等なものによって限定される。
【符号の説明】
【００６２】
１  空気処理モジュール
１０  浄化ダクト吹出フレーム
１００  係合孔
１１０  係合溝
１１１１  開口部
１１３  位置決め凹溝
１１４  第２の円弧面
１２０  支持柱
１３０  取外口
２０  水タンク引き出し
２００  係合凸起部
２１１  第１のガイド斜面
２１２  第２のガイド斜面
３０  安全係止具
３００  回転軸
３０１  受止凸起ブロック
３１０  係止具
３３０  ハンドル用凸起ブロック
３２０  係合カバー
３２１  第１の円弧面
３２２  平面
３２３  弾性凸起部
３２４  切欠部
３２５  溝体
【図１】
0006825131.tif 000002
【図２】
0006825131.tif 000003
【図３】
0006825131.tif 000004
【図４】
0006825131.tif 000005
【図５】
0006825131.tif 000006
【図６】
0006825131.tif 000007
【図７】
0006825131.tif 000008
【図８】
0006825131.tif 000009
【図９】
0006825131.tif 000010
【図１０】
0006825131.tif 000011
【図１１】
0006825131.tif 000012
【図１２】
0006825131.tif 000013
【図１３】
0006825131.tif 000014
【図１４】
0006825131.tif 000015